【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
少なくとも１つの電子ビーム源の寿命を延ばす方法であって、
電子ビームを放射する前記少なくとも１つの電子ビーム源を提供するステップであって、前記電子ビーム源はカソード、アノード、及び前記カソードとアノードとの間のグリッドを備える、ステップと、
電子ビーム電流、カソード加熱電力、グリッド電位Ｕｇ、及びカソード電位Ｕｃを所定の開始値に設定するステップと、
前記カソード加熱電力を所定の値で低減させ、且つ前記所定の電子ビーム電流を維持するためにＵｃ−Ｕｇ電位差を減少させる、ステップと、
少なくとも１つのＸ線検出器で前記電子ビーム源から放出されるＸ線信号を検出するステップと、
前記検出されたＸ線信号が所定の値を超えるまで前記低減させるステップ及び前記検出するステップを繰り返すステップと、
前記カソード加熱電力を前記電子ビーム源から前記所定の値を超えるＸ線信号を放出させた加熱電力閾値から所定の安全値分増加させるステップと、を備える方法。
【請求項２】
前記電子ビーム電流の前記開始値は２０〜５０ｍＡの間にある、請求項１に記載の方法。
【請求項３】
前記電子ビーム源内に前記Ｘ線検出器を配置するステップを更に備える請求項１に記載の方法。
【請求項４】
前記カソード加熱電力の前記開始値は約５Ｗである、請求項１に記載の方法。
【請求項５】
前記カソード加熱電力が低減される前記所定の値は０．０５Ｗのステップである、請求項１に記載の方法。
【請求項６】
前記所定の安全値は０．４〜０．８Ｗの間にある、請求項１に記載の方法。
【請求項７】
前記電子ビーム源から出ていない何れのＸ線信号も取り除くステップを更に備える、請求項１に記載の方法。
【請求項８】
電子ビームを放射する少なくとも１つの電子ビーム源であって、前記電子ビーム源はカソード、アノード、及び前記カソードと前記アノードとの間のグリッドを備え、
前記少なくとも１つの電子ビーム源から放出されるＸ線を検出するＸ線検出器と、
少なくとも１つの制御ユニットと、を備え、
前記少なくとも１つの制御ユニットは、
電子ビーム電流、カソード加熱電力、グリッド電位Ｕｇ、及びカソード電位Ｕｃを所定の開始値に設定することと、
前記カソード加熱電力を所定の値で低減させ、且つ前記所定の電子ビーム電流を維持するためにＵｃ−Ｕｇ電位差を減少させることと、
前記少なくとも１つのＸ線検出器を介して、前記電子ビーム源から放出されるＸ線信
号を検出することと、
前記検出されたＸ線信号が所定の値を超えるまで前記低減及び前記検出を繰り返すことと、
前記電子ビーム源のカソード素子の使用可能な加熱電力の範囲を確立するように、前記カソード加熱電力を前記電子ビーム源から前記所定の値を超えるＸ線信号を放出させた加熱電力閾値から所定の安全値分増加させることと、を行うように構成されている、
電子ビーム源。
【請求項９】
前記電子ビーム電流の前記開始値は２０〜５０ｍＡの間にある、請求項８に記載の電子ビーム源。
【請求項１０】
前記Ｘ線検出器は前記電子ビーム源内に位置付けられる、請求項８に記載の電子ビーム源。
【請求項１１】
前記カソード加熱電力の前記開始値は約５Ｗである、
前記所定の安全値は０．４〜０．８Ｗの間にある、又は
前記カソード加熱電力が低減される前記所定の値は０．０５Ｗのステップである、のうちの少なくとも１つである、請求項８に記載の電子ビーム源。
【請求項１２】
非一時的コンピュータ可読記憶媒体において具現化されているコンピュータ可読プログラムコード部分を有する少なくとも１つの非一時的コンピュータ可読記憶媒体を備えるコンピュータプログラム製品であって、前記コンピュータ可読プログラムコード部分は、
電子ビーム電流、カソード加熱粉末、グリッド電位Ｕｇ、及びカソード電位Ｕｃを所定の開始値に設定することと、
所定の値でカソード加熱電力を低減させ、且つ前記所定の電子ビーム電流を維持するためにＵｃ−Ｕｇ電位差を減少させることと、
Ｘ線検出器で電子ビーム源からのＸ線信号を検出することと、
前記検出されたＸ線信号が所定の値を超えるまで前記低減及び前記検出を繰り返すことと、
前記カソード加熱電力を前記所定の値を超えるＸ線信号をもたらした前記値から所定の値増加させ、３次元物品を形成するように共に溶融される粉末材料の個々の層を連続的に積層することによって前記３次元物品を形成する電子ビームを使用することと、
のために構成される少なくとも１つの実行可能部分を備える、コンピュータプログラム製品。
【請求項１３】
前記少なくとも１つの実行可能部分は、前記電子ビーム源から出ていない何れのＸ線信号も取り除くように更に構成される、請求項１２に記載のコンピュータプログラム製品。
【手続補正２】
【補正対象書類名】明細書
【補正対象項目名】発明の名称
【補正方法】変更
【補正の内容】
【発明の名称】電子ビーム源の寿命を延ばす方法、電子ビーム源及びコンピュータプログラム製品
【手続補正３】
【補正対象書類名】明細書
【補正対象項目名】０００１
【補正方法】変更
【補正の内容】
【０００１】
本発明は、電子ビーム源の寿命を延ばす方法、電子ビーム源及びコンピュータプログラム製品に関する。
【手続補正４】
【補正対象書類名】明細書
【補正対象項目名】００９３
【補正方法】変更
【補正の内容】
【００９３】
上述のシステム及び方法の多くの変形が可能であり、上記の実施形態からの逸脱が可能であるが、特許請求の範囲内にあることが理解されるであろう。前述の説明および関連する図面に提示された教示の利益を有する、本明細書に記載された本発明の多くの修正及び他の実施形態が、当業者に想起されるであろう。このような修正は、例えば、金属粉末以外の材料が使用されてもよく、非限定的な例として導電性ポリマーおよび導電性セラミックの粉末などが挙げられる。従って、本発明は、開示された特定の実施形態に限定されるものではなく、修正及び他の実施形態は、添付の特許請求の範囲内に含まれることが意図されていることが理解されるべきである。特定の用語が本明細書では使用されているが、それらは一般的且つ記述的な意味でのみ使用され、限定の目的のために使用されていない。
本発明のさらなる態様は下記の態様の記載によって示される。
（態様１）
３次元物品を形成するように共に溶融される粉末材料の個々の層を連続的に積層することによって前記物品を形成する場合に、少なくとも１つの電子ビーム源の寿命を延ばす方法であって、
前記粉末材料を加熱すること又は溶融することのうちの少なくとも１つをする電子ビームを放射する少なくとも１つの電子ビーム源を提供するステップであって、前記電子ビーム源はカソード、アノード、及び前記カソードとアノードとの間のグリッドを備える、ステップと、
電子ビーム電流、カソード加熱電力、グリッド電位Ｕｇ、及びカソード電位Ｕｃを所定の開始値に設定するステップと、
前記カソード加熱電力を所定の値で低減させ、且つ前記所定の電子ビーム電流を維持するためにＵｇ−Ｕｃ電位差を減少させる、ステップと、
少なくとも１つのＸ線検出器で前記電子ビーム源から放出されるＸ線信号を検出するステップと、
前記検出されたＸ線信号が所定の値を超えるまで前記低減させるステップ及び前記検出するステップを繰り返すステップと、
前記カソード加熱電力を前記電子ビーム源から前記所定の値を超えるＸ線信号を放出させた加熱電力閾値から所定の安全値分増加させるステップと、を備える方法。
（態様２）
前記低減させるステップ及び前記検出するステップは、表面上への新しい粉末層の塗布、新しい粉末層の予熱、粉末の分配、及び既に溶融された粉末の後熱処理の前に前記表面を予熱する間又は溶融処理の間に実行される、態様１に記載の方法。
（態様３）
前記電子ビーム電流の前記開始値は２０〜５０ｍＡの間にある、態様１に記載の方法。
（態様４）
前記カソード加熱電力の更新は各層の溶融処理の間に実行される、態様１に記載の方法。
（態様５）
前記電子ビーム源内に前記Ｘ線検出器を配置するステップを更に備える態様１に記載の方法。
（態様６）
前記カソード加熱電力の前記開始値は約５Ｗである、態様１に記載の方法。
（態様７）
前記カソード加熱電力が低減される前記所定の値は０．０５Ｗのステップである、態様１に記載の方法。
（態様８）
前記所定の安全値は０．４〜０．８Ｗの間にある、態様１に記載の方法。
（態様９）
前記電子ビーム源から出ていない何れのＸ線信号も取り除くステップを更に備える、態様１に記載の方法。
（態様１０）
前記少なくとも１つのＸ線検出器を、粉末層から放出されるＸ線信号から隠れた所に配置するステップを更に備える、態様１に記載の方法。
（態様１１）
３次元物品を形成するように粉末材料の個々の層を連続的に積層することによって前記物品を形成する装置であって、
前記粉末材料を加熱すること又は溶融することのうちの少なくとも１つをする電子ビームを放射する少なくとも１つの電子ビーム源であって、前記電子ビーム源はカソード、ア
ノード、及び前記カソードと前記アノードとの間のグリッドを備える、少なくとも１つの電子ビーム源と、
前記少なくとも１つの電子ビーム源から放出されるＸ線を検出するＸ線検出器と、
少なくとも１つの制御ユニットと、を備え、
前記少なくとも１つの制御ユニットは、
電子ビーム電流、カソード加熱電力、グリッド電位Ｕｇ、及びカソード電位Ｕｃを所定の開始値に設定することと、
前記カソード加熱電力を所定の値で低減させ、且つ前記所定の電子ビーム電流を維持するためにＵｇ−Ｕｃ電位差を減少させることと、
前記少なくとも１つのＸ線検出器を介して、前記電子ビーム源から放出されるＸ線信号を検出することと、
前記検出されたＸ線信号が所定の値を超えるまで前記低減及び前記検出を繰り返すことと、
前記電子ビーム源のカソード素子の使用可能な加熱電力の範囲を確立するように、前記カソード加熱電力を前記電子ビーム源から前記所定の値を超えるＸ線信号を放出させた加熱電力閾値から所定の安全値分増加させることと、を行うように構成されている、
装置。
（態様１２）
前記電子ビーム電流の前記開始値は２０〜５０ｍＡの間にある、態様１１に記載の装置。
（態様１３）
前記電子ビーム電流の前記開始値は２０〜５０ｍＡの間にある、態様１１に記載の装置。
（態様１４）
前記Ｘ線検出器は前記電子ビーム源内に位置付けられる、態様１１に記載の装置。
（態様１５）
前記Ｘ線検出器は、粉末層から放出されるＸ線信号から隠れた所に位置付けられる、態様１１に記載の装置。
（態様１６）
前記カソード加熱電力の前記開始値は約５Ｗである、
前記所定の安全値は０．４〜０．８Ｗの間にある、又は
前記カソード加熱電力が低減される前記所定の値は０．０５Ｗのステップである、のうちの少なくとも１つである、態様１１に記載の装置。
（態様１７）
非一時的コンピュータ可読記憶媒体において具現化されているコンピュータ可読プログラムコード部分を有する少なくとも１つの非一時的コンピュータ可読記憶媒体を備えるコンピュータプログラム製品であって、前記コンピュータ可読プログラムコード部分は、
電子ビーム電流、カソード加熱粉末、グリッド電位Ｕｇ、及びカソード電位Ｕｃを所定の開始値に設定することと、
所定の値でカソード加熱電力を低減させ、且つ前記所定の電子ビーム電流を維持するためにＵｇ−Ｕｃ電位差を減少させることと、
Ｘ線検出器で電子ビーム源からのＸ線信号を検出することと、
前記検出されたＸ線信号が所定の値を超えるまで前記低減及び前記検出を繰り返すことと、
前記カソード加熱電力を前記所定の値を超えるＸ線信号をもたらした前記値から所定の値増加させ、３次元物品を形成するように共に溶融される粉末材料の個々の層を連続的に積層することによって前記物品を形成する電子ビームを使用することと、
のために構成される少なくとも１つの実行可能部分を備える、コンピュータプログラム製品。
（態様１８）
前記少なくとも１つの実行可能部分は、各層の溶融処理の間で前記カソード加熱電力を更新するように更に構成される、態様１２に記載のコンピュータプログラム製品。
（態様１９）
前記少なくとも１つの実行可能部分は、前記電子ビーム源から出ていない何れのＸ線信号も取り除くように更に構成される、態様１２に記載のコンピュータプログラム製品。
（態様２０）
３次元物品を形成するように共に溶融される粉末材料の個々の層を連続的に積層することによって前記物品を形成する場合に、３極電子ビーム源の寿命を延ばす方法であって、
前記３極電子ビーム源から放出される所定のＸ線信号を生成する加熱閾値を超える所定の値でカソード加熱電力を調整するステップと、
加熱閾値を超える所定の値での前記カソード加熱電力を有する前記電子ビーム源で前記３次元物品を溶融させるステップと、を備える方法。